(57)【要約】時系列に基づいたデータ予測の方法及び装置を本出願の実施形態によって提供する。方法は、複数のカテゴリオブジェクトの履歴時系列データを取得することであって、カテゴリオブジェクトは１つまたは複数のデータオブジェクトを含む、履歴時系列データを取得することと、複数のカテゴリオブジェクトからフィーチャカテゴリオブジェクト（複数可）を選択することであって、フィーチャカテゴリオブジェクト（複数可）は、各フィーチャデータオブジェクトを含むカテゴリオブジェクト（複数可）で、各フィーチャデータオブジェクトは、所定の時間閾値より短いライフサイクルを有するデータオブジェクトである、フィーチャカテゴリオブジェクト（複数可）を選択することと、フィーチャカテゴリオブジェクト（複数可）に含まれるデータオブジェクト（複数可）の中から、フィーチャカテゴリオブジェクト（複数可）に対応する履歴時系列データに基づいて、ターゲットデータオブジェクトを予測することであって、ターゲットデータオブジェクトは、将来の第１の所定の期間に生成される将来の時系列データであり、所定の成長傾向を満たす将来の時系列データを有するデータオブジェクトである、ターゲットデータオブジェクトを予測すること、を含む。時系列データの原理に基づいて、本出願は、近い将来、爆発的なパワーを有するターゲットデータオブジェクトを予測し、予測結果が、より良く現実に適合し、より高い精度を有することを可能にする。
2019502213.tif 000002
【特許請求の範囲】
【請求項１】
時系列に基づいたデータ予測方法であって、
複数のカテゴリオブジェクトの履歴時系列データを取得することであって、前記カテゴリオブジェクトは１つまたは複数のデータオブジェクトを含む、前記履歴時系列データを取得することと、
前記複数のカテゴリオブジェクトからフィーチャカテゴリオブジェクト（複数可）を選択することであって、前記フィーチャカテゴリオブジェクト（複数可）は、各フィーチャデータオブジェクトを含むカテゴリオブジェクト（複数可）であり、前記各フィーチャデータオブジェクトは、所定の時間閾値より短いライフサイクルを有するデータオブジェクトである、前記フィーチャカテゴリオブジェクト（複数可）を選択することと、
前記フィーチャカテゴリオブジェクト（複数可）に含まれるデータオブジェクト（複数可）の中から、前記フィーチャカテゴリオブジェクト（複数可）に対応する履歴時系列データに基づいて、ターゲットデータオブジェクトを予測することであって、前記ターゲットデータオブジェクトは、将来の第１の所定の期間に生成され、所定の成長傾向を満たす将来の時系列データを有するデータオブジェクトである、前記ターゲットデータオブジェクトを予測することと、
を含む、前記方法。
【請求項２】
前記将来の第１の所定の期間における前記ターゲットデータオブジェクトの前記将来の時系列データを予測することをさらに含む、請求項１に記載の方法。
【請求項３】
前記複数のカテゴリオブジェクトの前記履歴時系列データを取得することは、
複数の所定の時間間隔に関して、各時間間隔の所定のデータベースに記憶された前記データオブジェクトに対応する指定フィーチャデータの量を、前記各時間間隔における前記データオブジェクトの履歴フィーチャデータとして、計算することと、
全ての前記時間間隔の前記データオブジェクトの履歴フィーチャデータを編成して、前記データオブジェクトの履歴時系列データを取得することと、
前記各時間間隔に従って、前記各時間間隔の各カテゴリオブジェクトに含まれるデータオブジェクトの履歴フィーチャデータの合計を計算することと、
全ての前記時間間隔の履歴フィーチャデータの各合計を、前記各カテゴリオブジェクトの履歴時系列データとして編成することと、
を含む、請求項１または２に記載の方法。
【請求項４】
フィーチャカテゴリオブジェクト（複数可）を前記複数のカテゴリオブジェクトから選択することは、
前記複数のカテゴリオブジェクトの前記履歴時系列データに基づいて、前記複数のカテゴリオブジェクトから第１のフィーチャカテゴリオブジェクトを選択することと、
所定の第２のフィーチャカテゴリオブジェクトを取得することと、
前記第１のフィーチャカテゴリオブジェクトと前記第２のフィーチャカテゴリオブジェクトを、フィーチャカテゴリオブジェクトとして編成することと、
を含む、請求項３に記載の方法。
【請求項５】
前記複数のカテゴリオブジェクトの前記履歴時系列データに基づいて、前記複数のカテゴリオブジェクトから前記第１のフィーチャカテゴリオブジェクトを選択することは、
以前の第１の所定の期間における各カテゴリオブジェクトの履歴時系列データの中央値Ｍを計算することと、
履歴フィーチャデータの合計がＭの所定の倍数より大きい時間間隔の数を計算することと、
履歴フィーチャデータの前記合計がＭの前記所定の倍数より大きい時間間隔の前記数が、所定の範囲内にある場合、前記カテゴリオブジェクトは前記第１のフィーチャカテゴリオブジェクトであると決定することと、
を含む、請求項４に記載の方法。
【請求項６】
前記フィーチャカテゴリオブジェクト（複数可）に含まれる前記データオブジェクト（複数可）の中から、前記フィーチャカテゴリオブジェクト（複数可）に対応する前記履歴時系列データに基づいて、前記ターゲットデータオブジェクトを予測することは、
前記フィーチャカテゴリオブジェクト（複数可）に対応する前記履歴時系列データに基づいて、前記フィーチャカテゴリオブジェクト（複数可）を正規化することと、
前記正規化されたフィーチャカテゴリオブジェクト（複数可）に含まれる前記データオブジェクト（複数可）をクラスタリングして、クラスクラスタオブジェクト（複数可）を取得することと、
前記クラスクラスタオブジェクト（複数可）からターゲットクラスクラスタオブジェクトを予測することと、
前記ターゲットクラスクラスタオブジェクトに含まれるデータオブジェクトを、前記ターゲットデータオブジェクトとして設定することと、
を含む、請求項１または２に記載の方法。
【請求項７】
前記クラスクラスタオブジェクト（複数可）から前記ターゲットクラスクラスタオブジェクトを予測することは、
前月の前記クラスクラスタオブジェクト（複数可）のデータオブジェクトの履歴時系列データに基づいて、前記クラスクラスタオブジェクト（複数可）の第１の平均履歴時系列データを計算することと、
１３か月前の前記クラスクラスタオブジェクト（複数可）のデータオブジェクトの履歴時系列データに基づいて、前記クラスクラスタオブジェクト（複数可）の第２の平均履歴時系列データを計算することと、
１２か月前の前記クラスクラスタオブジェクト（複数可）のデータオブジェクトの履歴時系列データに基づいて、前記クラスクラスタオブジェクト（複数可）の第３の平均履歴時系列データを計算することと、
前記第１の平均履歴時系列データ、前記第２の平均履歴時系列データ、及び、前記第３の平均履歴時系列データに基づいて、前記将来の第１の所定の期間の前記クラスクラスタオブジェクト（複数可）の将来の平均時系列データを予測することと、
前記将来の平均時系列データと前記第１の平均履歴時系列データとの差を計算して、前記クラスクラスタオブジェクト（複数可）のインジケータデータを取得することと、
所定の閾値より大きいインジケータデータを有するクラスクラスタオブジェクトを、前記ターゲットクラスクラスタオブジェクトとして設定することと、
を含む、請求項６に記載の方法。
【請求項８】
前記将来の第１の所定の期間における前記ターゲットデータオブジェクトの前記将来の時系列データを予測することは、
前記将来の第１の所定の期間の前記クラスクラスタオブジェクト（複数可）の将来の平均時系列データを正規化して、前記クラスクラスタオブジェクト（複数可）の各データオブジェクトの標準平均時系列データを取得することと、
各データオブジェクトの前記標準平均時系列データを訂正して、前記将来の第１の所定の期間の前記各データオブジェクトの将来の時系列データを取得することと、
を含む、請求項７に記載の方法。
【請求項９】
前記データオブジェクトは、商品データであり、前記カテゴリオブジェクトは、商品カテゴリであり、前記フィーチャカテゴリオブジェクト（複数可）は、時間的制約商品カテゴリ（複数可）であり、前記ライフサイクルは、商品の期限であり、前記時系列データは、前記商品の一日当たりの売上高である、請求項１、２、４、５、７、８のいずれか１項に記載の方法。
【請求項１０】
時系列に基づいたデータ予測装置であって、
複数のカテゴリオブジェクトの履歴時系列データを取得するために使用される履歴時系列データ獲得モジュールであって、前記カテゴリオブジェクトは１つまたは複数のデータオブジェクトを含む、前記履歴時系列データ獲得モジュールと、
前記複数のカテゴリオブジェクトからフィーチャカテゴリオブジェクト（複数可）を選択するために使用されるフィーチャカテゴリオブジェクト選択モジュールであって、前記フィーチャカテゴリオブジェクト（複数可）は、各フィーチャデータオブジェクトを含むカテゴリオブジェクト（複数可）であり、前記各フィーチャデータオブジェクトは、所定の時間閾値より短いライフサイクルを有するデータオブジェクトである、前記フィーチャカテゴリオブジェクト選択モジュールと、
前記フィーチャカテゴリオブジェクト（複数可）に含まれるデータオブジェクト（複数可）の中から、前記フィーチャカテゴリオブジェクト（複数可）に対応する履歴時系列データに基づいて、ターゲットデータオブジェクトを予測するために使用されるターゲットデータオブジェクト予測モジュールであって、前記ターゲットデータオブジェクトは、将来の第１の所定の期間に生成され、所定の成長傾向を満たす将来の時系列データを有するデータオブジェクトである、前記ターゲットデータオブジェクト予測モジュールと、
を含む、前記装置。
【請求項１１】
前記将来の第１の所定の期間における前記ターゲットデータオブジェクトの前記将来の時系列データを予測するために使用される将来の時系列データ予測モジュールをさらに含む、請求項１０に記載の装置。
【請求項１２】
前記履歴時系列データ獲得モジュールは、
複数の所定の時間間隔に関して、各時間間隔の所定のデータベースに記憶された前記データオブジェクトに対応する指定フィーチャデータの量を、前記各時間間隔における前記データオブジェクトの履歴フィーチャデータとして、計算するために使用される履歴フィーチャデータ計算サブモジュールと、
全ての前記時間間隔の前記データオブジェクトの履歴フィーチャデータを編成して、前記データオブジェクトの履歴時系列データを取得するために使用される履歴フィーチャデータ編成サブモジュールと、
前記各時間間隔に従って、前記各時間間隔の各カテゴリオブジェクトに含まれるデータオブジェクトの履歴フィーチャデータの合計を計算するために使用される履歴フィーチャデータ統計サブモジュールと、
全ての前記時間間隔の履歴フィーチャデータの各合計を、前記各カテゴリオブジェクトの履歴時系列データとして編成するために使用される履歴時系列データ編成サブモジュールと、
を含む、請求項１０または１１に記載の装置。
【請求項１３】
前記フィーチャカテゴリオブジェクト選択モジュールは、
前記複数のカテゴリオブジェクトの前記履歴時系列データに基づいて、前記複数のカテゴリオブジェクトから第１のフィーチャカテゴリオブジェクトを選択するために使用される第１のフィーチャカテゴリオブジェクト選択サブモジュールと、
所定の第２のフィーチャカテゴリオブジェクトを取得するために使用される第２のフィーチャカテゴリオブジェクト獲得サブモジュールと、
前記第１のフィーチャカテゴリオブジェクトと前記第２のフィーチャカテゴリオブジェクトを、フィーチャカテゴリオブジェクトとして編成するために使用される編成サブモジュールと、
を含む、請求項１２に記載の装置。
【請求項１４】
前記第１のフィーチャカテゴリオブジェクト選択サブモジュールは、
以前の第１の所定の期間における各カテゴリオブジェクトの履歴時系列データの中央値Ｍを計算することと、
履歴フィーチャデータの合計がＭの所定の倍数より大きい時間間隔の数を計算することと、
履歴フィーチャデータの前記合計がＭの前記所定の倍数より大きい時間間隔の前記数が、所定の範囲内にある場合、前記カテゴリオブジェクトは前記第１のフィーチャカテゴリオブジェクトであると決定することと、
のためにさらに使用される、請求項１３に記載の装置。
【請求項１５】
前記ターゲットデータオブジェクト予測モジュールは、
前記フィーチャカテゴリオブジェクト（複数可）に対応する前記履歴時系列データに基づいて、前記フィーチャカテゴリオブジェクト（複数可）を正規化するために使用される正規化サブモジュールと、
前記正規化されたフィーチャカテゴリオブジェクト（複数可）に含まれる前記データオブジェクト（複数可）をクラスタリングして、クラスクラスタオブジェクト（複数可）を取得するために使用されるクラスタリングサブモジュールと、
前記クラスクラスタオブジェクト（複数可）からターゲットクラスクラスタオブジェクトを予測するために使用される予測サブモジュールと、
前記ターゲットクラスクラスタオブジェクトに含まれるデータオブジェクトを、前記ターゲットデータオブジェクトとして設定するために使用されるターゲットデータオブジェクト獲得サブモジュールと、
を含む、請求項１０または１１に記載の装置。
【請求項１６】
前記予測サブモジュールは、
前月の前記クラスクラスタオブジェクト（複数可）のデータオブジェクトの履歴時系列データに基づいて、前記クラスクラスタオブジェクト（複数可）の第１の平均履歴時系列データを計算することと、
１３か月前の前記クラスクラスタオブジェクト（複数可）のデータオブジェクトの履歴時系列データに基づいて、前記クラスクラスタオブジェクト（複数可）の第２の平均履歴時系列データを計算することと、
１２か月前の前記クラスクラスタオブジェクト（複数可）のデータオブジェクトの履歴時系列データに基づいて、前記クラスクラスタオブジェクト（複数可）の第３の平均履歴時系列データを計算することと、
前記第１の平均履歴時系列データ、前記第２の平均履歴時系列データ、及び、前記第３の平均履歴時系列データに基づいて、前記将来の第１の所定の期間の前記クラスクラスタオブジェクト（複数可）の将来の平均時系列データを予測することと、
前記将来の平均時系列データと前記第１の平均履歴時系列データとの差を計算して、前記クラスクラスタオブジェクト（複数可）のインジケータデータを取得することと、
所定の閾値より大きいインジケータデータを有するクラスクラスタオブジェクトを、前記ターゲットクラスクラスタオブジェクトとして設定することと、
のためにさらに使用される、請求項１５に記載の装置。
【請求項１７】
前記将来の時系列データ予測モジュールは、
前記将来の第１の所定の期間の前記クラスクラスタオブジェクト（複数可）の将来の平均時系列データを正規化して、前記クラスクラスタオブジェクト（複数可）の各データオブジェクトの標準平均時系列データを取得するために使用される標準データ獲得サブモジュールと、
各データオブジェクトの前記標準平均時系列データを訂正して、前記将来の第１の所定の期間の前記各データオブジェクトの将来の時系列データを取得するために使用される訂正サブモジュールと、
を含む、請求項１６に記載の装置。
【請求項１８】
前記データオブジェクトは、商品データであり、前記カテゴリオブジェクトは、商品カテゴリであり、前記フィーチャカテゴリオブジェクト（複数可）は、時間的制約商品カテゴリ（複数可）であり、前記ライフサイクルは、商品の期限であり、前記時系列データは、前記商品の一日当たりの売上高である、請求項１０、１１、１３、１４、１６、１７のいずれか１項に記載の装置。
【発明の詳細な説明】
【技術分野】
【０００１】
本出願は、２０１６年１月１４日出願の中国特許出願番号第２０１６１００２４１０２．６号「Ｔｉｍｅ  Ｓｅｒｉｅｓ  Ｂａｓｅｄ  Ｄａｔａ  Ｐｒｅｄｉｃｔｉｏｎ  Ｍｅｔｈｏｄ  ａｎｄ  Ａｐｐａｒａｔｕｓ」の優先権を主張し、その全体を参照により本明細書に組み込む。
【０００２】
本出願は、データ処理の技術分野に関し、詳細には、時系列に基づいたデータ予測の方法と装置に関する。
【背景技術】
【０００３】
情報技術の発展に伴って、村の配信は、電子商取引プラットフォームの戦略的配信の非常に重要な側面となり、電子商取引プラットフォームを通した商品の出荷を可能にし、商品が外部から村に入るのを可能にする。村の商品はほとんど、非常に時間的制約のある季節商品であり、海産物、淡水魚、及び、生鮮野菜や果物等、消費期限がかなり短いものさえある。これらの種類の商品は、時間的制約商品と呼ぶことができる。時間的制約商品は、時間的制約のある消費特徴と、非常に短い消費期限を有する商品を指す。
【０００４】
実際、時間的制約商品の需要は巨大であるが、電子商取引プラットフォーム及びその物流システムの課題もまた極めて大きく、２つの側面で表される。
（１）保管量が多すぎると、物流に過度の負担がかかり、短い消費期間の種類の商品ということが原因で、大きな損失につながることが多い。
（２）不正確な見積もりによって保管量が不足すると、大きな市場損失となる。
【０００５】
よって、時間的制約商品等の時間的制約のあるデータオブジェクトの識別及び予測は、特に重要である。
【発明の概要】
【０００６】
上記問題を考慮して、本出願の実施形態を提案して、上記問題または上記問題の少なくとも一部を解決する時系列に基づいたデータ予測方法と、対応する時系列に基づいたデータ予測装置を提供する。
【０００７】
上記問題を解決するために、本出願は、時系列に基づいたデータ予測方法を開示する。方法は、複数のカテゴリオブジェクトの履歴時系列データを取得することであって、カテゴリオブジェクトは１つまたは複数のデータオブジェクトを含む、履歴時系列データを取得することと、複数のカテゴリオブジェクトからフィーチャカテゴリオブジェクト（複数可）を選択することであって、フィーチャカテゴリオブジェクト（複数可）は、各フィーチャデータオブジェクトを含むカテゴリオブジェクト（複数可）であり、各フィーチャデータオブジェクトは、所定の時間閾値より短いライフサイクルを有するデータオブジェクトである、フィーチャカテゴリオブジェクト（複数可）を選択することと、フィーチャカテゴリオブジェクト（複数可）に含まれるデータオブジェクト（複数可）の中から、フィーチャカテゴリオブジェクト（複数可）に対応する履歴時系列データに基づいて、ターゲットデータオブジェクトを予測することであって、ターゲットデータオブジェクトは、将来の第１の所定の期間に生成され、所定の成長傾向を満たす将来の時系列データを有するデータオブジェクトである、ターゲットデータオブジェクトを予測することを含む。
【０００８】
好ましくは、方法は、将来の第１の所定の期間におけるターゲットデータオブジェクトの将来の時系列データを予測することをさらに含む。
【０００９】
好ましくは、複数のカテゴリオブジェクトの履歴時系列データを取得することは、複数の所定の時間間隔に関して、各時間間隔の所定のデータベースに記憶されたデータオブジェクトに対応する指定フィーチャデータの量を、各時間間隔におけるデータオブジェクトの履歴フィーチャデータとして計算することと、全ての時間間隔のデータオブジェクトの履歴フィーチャデータを編成して、データオブジェクトの履歴時系列データを取得することと、各時間間隔に従って、各時間間隔の各カテゴリオブジェクトに含まれるデータオブジェクトの履歴フィーチャデータの合計を計算することと、全ての時間間隔の履歴フィーチャデータの各合計を、各カテゴリオブジェクトの履歴時系列データとして編成することを含む。
【００１０】
好ましくは、フィーチャカテゴリオブジェクト（複数可）を複数のカテゴリオブジェクトから選択することは、複数のカテゴリオブジェクトの履歴時系列データに基づいて、複数のカテゴリオブジェクトから第１のフィーチャカテゴリオブジェクトを選択することと、所定の第２のフィーチャカテゴリオブジェクトを取得することと、第１のフィーチャカテゴリオブジェクトと第２のフィーチャカテゴリオブジェクトを、フィーチャカテゴリオブジェクトとして編成することを含む。
【００１１】
好ましくは、複数のカテゴリオブジェクトの履歴時系列データに基づいて、複数のカテゴリオブジェクトから第１のフィーチャカテゴリオブジェクトを選択することは、以前の第１の所定の期間の各カテゴリオブジェクトの履歴時系列データの中央値Ｍを計算することと、履歴フィーチャデータの合計がＭの所定の倍数より大きい時間間隔の数を計算することと、履歴フィーチャデータの合計がＭの所定の倍数より大きい時間間隔の数が、所定の範囲内にある場合、そのカテゴリオブジェクトは第１のフィーチャカテゴリオブジェクトであると決定することを含む。
【００１２】
好ましくは、フィーチャカテゴリオブジェクト（複数可）に含まれるデータオブジェクト（複数可）の中から、フィーチャカテゴリオブジェクト（複数可）に対応する履歴時系列データに基づいて、ターゲットデータオブジェクトを予測することは、フィーチャカテゴリオブジェクト（複数可）に対応する履歴時系列データに基づいて、フィーチャカテゴリオブジェクト（複数可）を正規化することと、正規化されたフィーチャカテゴリオブジェクト（複数可）に含まれるデータオブジェクト（複数可）をクラスタリングして、クラスクラスタオブジェクト（複数可）を取得することと、クラスクラスタオブジェクト（複数可）からターゲットクラスクラスタオブジェクトを予測することと、ターゲットクラスクラスタオブジェクトに含まれるデータオブジェクトをターゲットデータオブジェクトとして設定することを含む。
【００１３】
好ましくは、クラスクラスタオブジェクト（複数可）からターゲットクラスクラスタオブジェクトを予測することは、前月のクラスクラスタオブジェクト（複数可）のデータオブジェクトの履歴時系列データに基づいて、クラスクラスタオブジェクト（複数可）の第１の平均履歴時系列データを計算することと、１３か月前のクラスクラスタオブジェクト（複数可）のデータオブジェクトの履歴時系列データに基づいて、クラスクラスタオブジェクト（複数可）の第２の平均履歴時系列データを計算することと、１２か月前のクラスクラスタオブジェクト（複数可）のデータオブジェクトの履歴時系列データに基づいて、クラスクラスタオブジェクト（複数可）の第３の平均履歴時系列データを計算することと、第１の平均履歴時系列データ、第２の平均履歴時系列データ、及び、第３の平均履歴時系列データに基づいて、将来の第１の所定の期間のクラスクラスタオブジェクト（複数可）の将来の平均時系列データを予測することと、将来の平均時系列データと第１の平均履歴時系列データとの差を計算して、クラスクラスタオブジェクト（複数可）のインジケータデータを取得することと、所定の閾値より大きいインジケータデータを有するクラスクラスタオブジェクトを、ターゲットクラスクラスタオブジェクトとして設定することを含む。
【００１４】
好ましくは、将来の第１の所定の期間におけるターゲットデータオブジェクトの将来の時系列データを予測することは、将来の第１の所定の期間のクラスクラスタオブジェクト（複数可）の将来の平均時系列データを正規化して、クラスクラスタオブジェクト（複数可）の各データオブジェクトの標準平均時系列データを取得することと、各データオブジェクトの標準平均時系列データを訂正して、将来の第１の所定の期間の各データオブジェクトの将来の時系列データを取得することを含む。
【００１５】
好ましくは、データオブジェクトは、商品データであり、カテゴリオブジェクトは、商品カテゴリであり、フィーチャカテゴリオブジェクト（複数可）は、時間的制約商品カテゴリ（複数可）であり、ライフサイクルは、商品の期限であり、時系列データは、商品の一日当たりの売上高である。
【００１６】
本出願は、時系列に基づいたデータ予測装置をさらに開示する。装置は、複数のカテゴリオブジェクトの履歴時系列データの取得するために使用される履歴時系列データ獲得モジュールであって、カテゴリオブジェクトは１つまたは複数のデータオブジェクトを含む、履歴時系列データ獲得モジュールと、複数のカテゴリオブジェクトからフィーチャカテゴリオブジェクト（複数可）を選択するために使用されるフィーチャカテゴリオブジェクト選択モジュールであって、フィーチャカテゴリオブジェクト（複数可）は、各フィーチャデータオブジェクトを含むカテゴリオブジェクト（複数可）であり、各フィーチャデータオブジェクトは、所定の時間閾値より短いライフサイクルを有するデータオブジェクトである、フィーチャカテゴリオブジェクト選択モジュールと、フィーチャカテゴリオブジェクト（複数可）に含まれるデータオブジェクト（複数可）の中から、フィーチャカテゴリオブジェクト（複数可）に対応する履歴時系列データに基づいて、ターゲットデータオブジェクトを予測するために使用されるターゲットデータオブジェクト予測モジュールであって、ターゲットデータオブジェクトは、将来の第１の所定の期間に生成され、所定の成長傾向を満たす将来の時系列データを有するデータオブジェクトである、ターゲットデータオブジェクト予測モジュールとを含む。
【００１７】
好ましくは、装置は、将来の第１の所定の期間におけるターゲットデータオブジェクトの将来の時系列データを予測するために使用される将来の時系列データ予測モジュールをさらに含む。
【００１８】
好ましくは、履歴時系列データ獲得モジュールは、複数の所定の時間間隔に関して、各時間間隔の所定のデータベースに記憶されたデータオブジェクトに対応する指定フィーチャデータの量を、各時間間隔におけるデータオブジェクトの履歴フィーチャデータとして計算するために使用される履歴フィーチャデータ計算サブモジュールと、全ての時間間隔のデータオブジェクトの履歴フィーチャデータを編成して、データオブジェクトの履歴時系列データを取得するために使用される履歴フィーチャデータ編成サブモジュールと、各時間間隔に従って、各時間間隔の各カテゴリオブジェクトに含まれるデータオブジェクトの履歴フィーチャデータの合計を計算するために使用される履歴フィーチャデータ統計サブモジュールと、全ての時間間隔の履歴フィーチャデータの各合計を、各カテゴリオブジェクトの履歴時系列データとして編成するために使用される履歴時系列データ編成サブモジュールとを含む。
【００１９】
好ましくは、フィーチャカテゴリオブジェクト選択モジュールは、複数のカテゴリオブジェクトの履歴時系列データに基づいて、複数のカテゴリオブジェクトから第１のフィーチャカテゴリオブジェクトを選択するために使用される第１のフィーチャカテゴリオブジェクト選択サブモジュールと、所定の第２のフィーチャカテゴリオブジェクトを取得するために使用される第２のフィーチャカテゴリオブジェクト獲得サブモジュールと、第１のフィーチャカテゴリオブジェクトと第２のフィーチャカテゴリオブジェクトを、フィーチャカテゴリオブジェクトとして編成するために使用される編成サブモジュールとを含む。
【００２０】
好ましくは、第１のフィーチャカテゴリオブジェクト選択サブモジュールは、以前の第１の所定の期間における各カテゴリオブジェクトの履歴時系列データの中央値Ｍを計算することと、履歴フィーチャデータの合計がＭの所定の倍数より大きい時間間隔の数を計算することと、履歴フィーチャデータの合計がＭの所定の倍数より大きい時間間隔の数が、所定の範囲内にある場合、カテゴリオブジェクトは第１のフィーチャカテゴリオブジェクトであると決定することにさらに使用される。
【００２１】
好ましくは、ターゲットデータオブジェクト予測モジュールは、フィーチャカテゴリオブジェクト（複数可）に対応する履歴時系列データに基づいて、フィーチャカテゴリオブジェクト（複数可）を正規化するために使用される正規化サブモジュールと、正規化されたフィーチャカテゴリオブジェクト（複数可）に含まれるデータオブジェクト（複数可）をクラスタリングして、クラスクラスタオブジェクト（複数可）を取得するために使用されるクラスタリングサブモジュールと、クラスクラスタオブジェクト（複数可）からターゲットクラスクラスタオブジェクトを予測するために使用される予測サブモジュールと、ターゲットクラスクラスタオブジェクトに含まれるデータオブジェクトをターゲットデータオブジェクトとして設定するために使用されるターゲットデータオブジェクト獲得サブモジュールとを含む。
【００２２】
好ましくは、予測サブモジュールは、前月のクラスクラスタオブジェクト（複数可）のデータオブジェクトの履歴時系列データに基づいて、クラスクラスタオブジェクト（複数可）の第１の平均履歴時系列データを計算することと、１３か月前のクラスクラスタオブジェクト（複数可）のデータオブジェクトの履歴時系列データに基づいて、クラスクラスタオブジェクト（複数可）の第２の平均履歴時系列データを計算することと、１２か月前のクラスクラスタオブジェクト（複数可）のデータオブジェクトの履歴時系列データに基づいて、クラスクラスタオブジェクト（複数可）の第３の平均履歴時系列データを計算することと、第１の平均履歴時系列データ、第２の平均履歴時系列データ、及び、第３の平均履歴時系列データに基づいて、将来の第１の所定の期間のクラスクラスタオブジェクト（複数可）の将来の平均時系列データを予測することと、将来の平均時系列データと第１の平均履歴時系列データとの差を計算して、クラスクラスタオブジェクト（複数可）のインジケータデータを取得することと、所定の閾値より大きいインジケータデータを有するクラスクラスタオブジェクトを、ターゲットクラスクラスタオブジェクトとして設定することのためにさらに使用される。
【００２３】
好ましくは、将来の時系列データ予測モジュールは、将来の第１の所定の期間のクラスクラスタオブジェクト（複数可）の将来の平均時系列データを正規化して、クラスクラスタオブジェクト（複数可）の各データオブジェクトの標準平均時系列データを取得するために使用される標準データ獲得サブモジュールと、各データオブジェクトの標準平均時系列データを訂正して、将来の第１の所定の期間の各データオブジェクトの将来の時系列データを取得するために使用される訂正サブモジュールとを含む。
【００２４】
好ましくは、データオブジェクトは、商品データであり、カテゴリオブジェクトは、商品カテゴリであり、フィーチャカテゴリオブジェクト（複数可）は、時間的制約商品カテゴリ（複数可）であり、ライフサイクルは、商品の期限であり、時系列データは、商品の一日当たりの売上高である。
【００２５】
本出願の実施形態は、以下の利点を含む。
【００２６】
本出願の実施形態は、時間的制約のある、季節的フィーチャカテゴリオブジェクトを、複数のカテゴリオブジェクトから選択でき、近い将来に生成され所定の成長傾向を満たす将来の時系列データを有するデータオブジェクト、すなわち、爆発的に売れるターゲットデータオブジェクトを、フィーチャカテゴリオブジェクトに含まれたデータオブジェクトから予測する。時系列データの原理に基づいて、本出願の実施形態は、近い将来、爆発的なパワーを有するターゲットデータオブジェクトを予測し、予測結果が、より良く現実に適合し、より高い精度を有するのを可能にする。
【図面の簡単な説明】
【００２７】
【図１】本出願の第１の実施形態による、時系列に基づいたデータ予測方法のフローチャートである。
【図２】本出願の第１の実施形態による、時系列に基づいたデータ予測方法のカテゴリツリーの概略図である。
【図３】本出願の第２の実施形態による、時系列に基づいたデータ予測方法のフローチャートである。
【図４】本出願の実施形態による、時系列に基づいたデータ予測装置の構造ブロック図である。
【発明を実施するための形態】
【００２８】
本出願の上記目的、特徴、及び、利点がよりよく理解できるように、添付図面と特定の実施形態と共に、本出願をさらに詳細に記載する。
【００２９】
図１は、本出願の第１の実施形態による、時系列に基づいたデータ予測方法のフローチャートを示す。本出願の実施形態は、電子商取引プラットフォーム等、ツリーカテゴリシステムを有するプラットフォームに適用できる。ツリーカテゴリシステムは、ツリー分類に従ってデータを分類することによってカテゴリを取得する方法であってよい。ツリー分類は、葉、枝、幹、根を有するツリー等、レベルに従って、レベル毎に分類を行う画像分類である。
【００３０】
例えば、現在、消費者グループに、電子商取引プラットフォームのオンラインストアで、適切に的を絞って様々な種類の商品を購入させるために、商品を分類して、ファッション、アクセサリ、美容、デジタル、ホーム＆ガーデン、幼児＆母親、食品、レクリエーション＆スポーツ、サービス、及び、保険等の商品カテゴリを取得するツリー分類を使用できる。
【００３１】
図１に示すように、本出願の実施形態は、以下のステップを含んでよい。
【００３２】
ステップ１０１は、複数のカテゴリオブジェクトの履歴時系列データを取得する。
【００３３】
本出願の実施形態に適用するために、カテゴリオブジェクトは、１つまたは複数のデータオブジェクトを含んでよい。例えば、電子商取引プラットフォームにおいては、図２に示すような分類ツリーの概略図において、「海産物」等の商品カテゴリの下に、「毛ガニ」、「たこ」、「ホタテ」等の商品データを含むことができる。
【００３４】
さらに、各データオブジェクトは、複数の対応する指定フィーチャデータを有する。指定フィーチャデータは、事前に生成され、データオブジェクトに関連付けられた指定の活動の発生が検出されると、生成される記録である。例えば、電子商取引プラットフォームにおいて、指定の活動は、販売活動を含んでよく、指定フィーチャデータは、ある商品の販売活動の発生に応答して生成された販売記録であってよい。
【００３５】
特定の実施態様において、データオブジェクトの指定フィーチャデータは、所定のデータベースから取得できる。所定のデータベースは、事前に生成されたデータベースであってよい。例えば、所定のデータベースは、商品データベースであってよく、商品データベースは、１つまたは複数の商品に関連付けられた多くの販売記録を記憶する。
【００３６】
実際には、所定のデータベースは、データオブジェクトのデータ特性情報も記憶してよい。例として、データ特性情報は、時間特性情報、識別特性情報、フィーチャ特性情報等を含んでよい。例えば、商品データベースは、各商品の商品特性情報も記憶してよい。商品特性情報は、商品の基本特性（複数可）、時間特性（複数可）、取引特性（複数可）、信頼性特性（複数可）、及び、販売特性（複数可）等を含んでよい。商品の基本特性（複数可）は、商品の名前、販売している商店のＩＤ、価格、販売期間、所属カテゴリ等を含んでよい。時間特性（複数可）は、購買活動、コメント活動、及び／または、販売活動等の活動の発生の時間情報を含んでよい。商品の取引特性（複数可）は、商品の受け取り、追加購入、及び／または、購入を含んでよい。商品の信頼性特性（複数可）は、商店の星のレベル、否定的なコメントの数、否定的なコメントの割合、物流スコア等を含んでよい。商品の販売特性（複数可）は、商品が人気商品か否か、商品が販促商品であるか否か等を含んでよい。
【００３７】
本出願の実施形態の好ましい実施形態においては、ステップ１０１は、以下のサブステップを含んでよい。
【００３８】
サブステップＳ１１は、複数の所定の時間間隔に関して、各時間間隔の所定のデータベースに記憶されたデータオブジェクトに対応する指定フィーチャデータの数を、各時間間隔のデータオブジェクトの履歴フィーチャデータとして計算する。
【００３９】
特定の実施態様において、時間間隔は、時間空間に従って設定された間隔であってよい。例えば、時間間隔は、一日、半日、一週間、または、一ヶ月等であってよい。時間空間が一日の場合、時間間隔は、各日の［００：００，２３：５９］であってよい。時間間隔は、日付情報を追加されてもよいことは明らかである。例えば、２０１５−１１−１８の時間間隔は、［２０１５−１１−１８−００：００，２０１５−１１−１８−２３：５９］であってよい。所定の時間間隔は、事前に開発者によって設定された時間間隔であってよい。
【００４０】
複数の所定の時間間隔を取得後、各時間間隔（例えば、各日）のデータオブジェクトの指定フィーチャデータの数をさらに計算して、各時間間隔の履歴フィーチャデータを取得してよい。例えば、ある商品の一日の販売記録数を計算して、一日当たりの売上高を取得する。
【００４１】
サブステップＳ１２は、全ての時間間隔のデータオブジェクトの履歴フィーチャデータを編成して、データオブジェクトの履歴時系列データを取得する。
【００４２】
各時間間隔のデータオブジェクトの履歴フィーチャデータを取得した後、全ての時間間隔の履歴フィーチャデータを編成し、データオブジェクトの履歴時系列データを取得できる。時系列データは、異なる時点で収集されたデータを指す。この種のデータは、ある事柄、現象等、時間と共に変化する状態または程度を反映する。時系列データは、データの在り方の特別な形態である。過去の一連の値が、将来の値に影響を与える。この種の影響の大きさと影響の様態は、トレンドサイクル等の活動で表すことができ、時系列データにおいては一定でない場合がある。時系列は、本質的に、時間の経過に伴うデータの変化の傾向に基づいて、将来の値の予測をマイニングする。考慮すべき重要な点は、週、月、季節、年等のある周期的な時間の定義、または、休日等の普通ではない日が原因となり得る影響等、時間に固有の特徴である。日付自体を計算する方法は、時間の前後の相関（過去の出来事が将来にどれくらい影響を与えるか）等の特定の考慮事項を必要とする局面も有する。時間的要因を十分に考慮し、時間と共に変化する現在のデータの一連の値を使用した後にのみ、将来の値をより良く予測できる。
【００４３】
例えば、商品の一日当たりの売上高を取得した後で、各日の各一日当たりの売上高を編成することによって、商品の履歴売上高を取得する。
【００４４】
データオブジェクトの履歴時系列データは、過去のある期間のデータオブジェクトの傾向を反映できる。
【００４５】
サブステップＳ１３は、時間間隔に従って、時間間隔の各カテゴリオブジェクトに含まれるデータオブジェクト（複数可）の履歴フィーチャデータの合計を計算する。
【００４６】
カテゴリオブジェクトは、１つまたは複数のデータオブジェクトを含み得るので、カテゴリオブジェクトの全てのデータオブジェクトの履歴フィーチャデータの合計は、カテゴリオブジェクトの下の各データオブジェクトの履歴フィーチャデータを取得後、時間間隔で、この時間間隔を単位として使用して計算できる。
【００４７】
例えば、ある日、「海産物」のカテゴリで、「毛ガニ」の一日当たりの売上高は、１０００ジン、「たこ」の一日当たりの売上高は、５００ジン、「ホタテ」の一日当たりの売上高は、３００ジンである。従って、この日の「海産物」のカテゴリの一日当たりの売上高の合計は、１８００ジンである。
【００４８】
サブステップＳ１４は、全ての時間間隔の履歴フィーチャデータの合計を、カテゴリオブジェクトの履歴時系列データとして編成する。
【００４９】
カテゴリオブジェクトの履歴時系列データは、全ての時間間隔の履歴フィーチャデータの合計を編成することによって取得できる。
【００５０】
例えば、前月の「海産物」のカテゴリの各日の一日当たりの売上高の合計を取得した後、前月の一日当たりの売上高の全ての合計を編成することによって、前月の「海産物」のカテゴリの履歴時系列データが取得できる。
【００５１】
特定の実施態様において、ステップ１０１は、カテゴリデータジェネレータによって達成できる。このジェネレータは、現在のプラットフォームのツリー分類システムに基づいて、各カテゴリオブジェクトの履歴時系列データを生成する。ステップ１０１の後、データオブジェクトの元々の膨大な量の履歴時系列データは、様々なカテゴリオブジェクトの履歴時系列データに統合されることによって、以降の動作にとって強力なデータ支援を提供できる。
【００５２】
ステップ１０２は、複数のカテゴリオブジェクトからフィーチャカテゴリオブジェクトを選択する。
【００５３】
本出願の実施形態においては、各カテゴリオブジェクトの履歴時系列データが取得された後、フィーチャカテゴリオブジェクトが、複数のカテゴリオブジェクトからさらに選択できる。フィーチャカテゴリオブジェクトは、フィーチャデータオブジェクトを有するカテゴリオブジェクトであってよい。フィーチャデータオブジェクトは、所定の時間閾値より短いライフサイクルを有するデータオブジェクト、すなわち、時間的制約のあるデータオブジェクトであってよい。例えば、カテゴリオブジェクトが、商品カテゴリである時、フィーチャカテゴリオブジェクトは、時間的制約商品カテゴリであってよい。時間的制約商品カテゴリは、時間的制約商品を有するカテゴリオブジェクトであってよい。時間的制約商品は、ある一定の時間的制約のある消費特徴と、非常に短い消費期限を有する商品である。例は、月餅、毛ガニ等である。時間的制約商品カテゴリは、野菜、果物、海産物、生肉、調理済み肉等の生鮮食品カテゴリを含んでよい。
【００５４】
本出願の実施形態の好ましい実施形態においては、ステップ１０２は、以下のサブステップを含んでよい。
【００５５】
サブステップＳ２１は、複数のカテゴリオブジェクトの履歴時系列データに基づいて、複数のカテゴリオブジェクトから第１のフィーチャカテゴリオブジェクトを選択する。
【００５６】
現在のプラットフォームの全てのカテゴリオブジェクトの履歴時系列データを取得した後、第１のフィーチャカテゴリオブジェクトが、カテゴリオブジェクトの履歴時系列データに基づいて、カテゴリオブジェクトから選択できる。
【００５７】
本出願の実施形態の好ましい実施形態においては、ステップＳ２１は、以下のサブステップをさらに含んでよい。
【００５８】
サブステップＳ２１１は、過去の第１の所定の期間の各カテゴリオブジェクトの履歴時系列データの中央値Ｍを計算する。
【００５９】
詳細には、中央値は、メジアンとも呼ばれ、データのグループの真ん中に位置する値である（このデータグループは、昇順または降順で配置されていることに特に留意する）。言い換えると、このデータグループにおいて、データの半分は、中央値より大きく、データの他の半分は、中央値より小さい。このデータグループが、偶数の数の値を含む場合、中央値は、真ん中の２つの値の平均である。ｎ個のデータが存在する場合、ｎが偶数であると、メジアンは、ｎ／２番目の値と（ｎ＋２）／２番目の値の平均である。ｎが奇数の場合、メジアンは、（ｎ＋１）／２番目の値である。
【００６０】
特定の実施態様において、各カテゴリオブジェクトの履歴時系列データの時間範囲は、過去の第１の所定の期間として定義できる。例えば、過去の第１の所定の期間は、去年として設定できる。各カテゴリオブジェクトの履歴時系列データは、昇順または降順で配置できる。言い換えると、去年の全ての時間間隔に対応するカテゴリオブジェクトの履歴時系列データの各合計が、順序付けられ、カテゴリオブジェクトの中央値Ｍが、順序付けの後、取得される。例えば、去年の各日の各商品カテゴリの一日当たりの売上高の合計を順序付けた後、中央にある一日当たりの売上高の合計が、去年の商品カテゴリの中央値Ｍとして取得される。
【００６１】
平均値は、データグループの極値の影響を受けやすく、中央値は、極値の影響を受けず、実際の状況に合った予測が行われるので、ここでは、平均値ではなく、中央値が計算されることに注意されたい。
【００６２】
サブステップＳ２１２は、履歴フィーチャデータの合計が、Ｍの所定の倍数より大きい時間間隔の数を計算する。
【００６３】
中央値Ｍを取得した後、Ｍを、ｎ倍、例えば、１．５倍にする（１．５Ｍとして表すことができる）。各時間間隔のカテゴリオブジェクトの履歴フィーチャデータの合計を、１.５Ｍと比較して、履歴フィーチャデータの合計が１．５Ｍより大きい時間間隔の数を取得する。例えば、商品カテゴリの一日当たりの売上高の合計が１．５Ｍより大きい日数を計算する。
【００６４】
サブステップＳ２１３は、Ｍの所定の倍数より大きい履歴フィーチャデータの合計を有する時間間隔の数が所定の範囲内にある場合、カテゴリオブジェクトが第１のフィーチャカテゴリオブジェクトであると決定する。
【００６５】
Ｍを１．５倍し、１．５Ｍより大きい履歴フィーチャデータの合計を有する時間間隔の数が所定の範囲内にある場合、カテゴリオブジェクトは、第１のフィーチャカテゴリオブジェクトであると決定できる。
【００６６】
例えば、所定の範囲の値を１０〜４５と設定する。商品カテゴリの一日当たりの売上高の合計が、１．５Ｍより大きい日の数が、この範囲にある場合、その商品カテゴリは、時間的制約商品カテゴリであると決定される。
【００６７】
サブステップＳ２２は、所定の第２のフィーチャカテゴリオブジェクトを取得する。
【００６８】
本出願の実施形態に適用するために、所定の第２のフィーチャカテゴリオブジェクトは、ホワイトリストにあるカテゴリオブジェクトであってよい。ホワイトリストは、事前に手動で選択できる。例えば、時間的制約商品カテゴリは、オペレータが事前に選択する商品カテゴリであってよく、これらの選択された商品カテゴリは、ホワイトリストに追加される。
【００６９】
サブステップＳ２３は、第１のフィーチャオブジェクトと、第２のフィーチャオブジェクトをフィーチャカテゴリオブジェクトに編成する。
【００７０】
第１のフィーチャオブジェクトと第２のフィーチャオブジェクトを取得した後、第１のフィーチャオブジェクトと第２のフィーチャオブジェクトを、フィーチャカテゴリオブジェクトとして編成できる。編成方法は、重複排除、すなわち、第１のフィーチャオブジェクトと第２のフィーチャオブジェクトで重複しているフィーチャカテゴリオブジェクトを取り除いて、全てのフィーチャカテゴリオブジェクトを出力する方法を含み得る。
【００７１】
本出願の実施形態においては、フィーチャカテゴリオブジェクトの選択は、自動及び手動で行うことができ、そうすることによって、選択結果は、ユーザのニーズをより良く満たし、より完全で、高度なインテリジェント化を有し得る。
【００７２】
ステップ１０３は、フィーチャカテゴリオブジェクトに対応する履歴時系列データに基づいて、フィーチャカテゴリオブジェクトに含まれるデータオブジェクトから、ターゲットデータオブジェクトを予測する。
【００７３】
フィーチャカテゴリオブジェクト決定後、ターゲットデータオブジェクトが、フィーチャカテゴリオブジェクトに含まれるデータオブジェクトから選択できる。ターゲットデータオブジェクトは、将来の第１の所定の期間に生成される将来の時系列データが、所定の成長傾向を満たすデータオブジェクト、すなわち、爆発的な数が近い時期に生成されるデータオブジェクトである。
【００７４】
特定の実施態様において、予測結果の信頼性を向上させるために、将来の第１の所定の期間は、近い期間であってよい、例えば、将来の中期間または短期間を含んでよい。例として、中期間は、一ヶ月であってよい。すなわち、将来の第１の所定の期間は、現在の次の一ヶ月である。短期間は、半月、一週間等の短期であってよい。すなわち、将来の第１の所定の期間は、現在の次の半月または一週間である。
【００７５】
ターゲットデータオブジェクトは、生成される将来の時系列データが所定の成長傾向を満たすデータオブジェクト、すなわち、生成される数が、通常でない点またはブレークポイントを有するデータオブジェクトであってよい。例えば、中秋節の前には、月餅の売上高は、爆発的に増加するであろうし、そうすると、月餅は、ターゲットデータオブジェクトであってよい。
【００７６】
本出願の実施形態に適用して、フィーチャカテゴリオブジェクトを決定した後、ターゲットデータオブジェクトが、フィーチャカテゴリオブジェクトに含まれるデータオブジェクトからさらに選択できる。例えば、時間的制約商品カテゴリが決定された後、近々、売り上げが好調になる（ブレークポイントまたは通常でない点を生成する）時間的制約のあるターゲット商品が、時間的制約商品カテゴリに含まれる時間的制約商品からさらに選択できる。
【００７７】
本出願の実施形態の好ましい実施形態においては、ステップ１０３は、以下のサブステップを含んでよい。
【００７８】
サブステップＳ３１は、フィーチャカテゴリオブジェクトの履歴時系列データに基づいて、フィーチャカテゴリオブジェクトを正規化する。
【００７９】
フィーチャカテゴリオブジェクトを決定後、フィーチャカテゴリオブジェクトの様々なデータオブジェクト間の差を取り除いて、より正確な予測結果を取得するために、フィーチャカテゴリオブジェクトに正規化を行うことができる。正規化は、単純化、すなわち、変換によってスカラー量になるように次元表現を非次元表現に変更する方法である。
【００８０】
ある実施態様においては、以下のアプローチを用いて、フィーチャカテゴリオブジェクトに対する正規化を行うことができる。
ステップＳ２１１に従って取得された過去の第１の所定の期間のフィーチャカテゴリオブジェクトの履歴時系列データの中央値Ｍに基づいて、履歴時系列データの各履歴フィーチャデータの合計と中央値Ｍとの間の各比率を個別に計算して、履歴フィーチャデータの正規化された合計を取得することと、履歴フィーチャデータの正規化された合計を編成して、フィーチャカテゴリオブジェクトの正規化された履歴時系列データを形成すること。
【００８１】
本出願の実施形態が上記正規化アプローチに制限されないことは明らかである。当業者は、他の正規化アプローチを採用できる。
【００８２】
サブステップＳ３２は、全ての正規化されたフィーチャカテゴリオブジェクトに含まれるデータオブジェクトをクラスタリングして、クラスクラスタオブジェクトを取得する。
【００８３】
本出願の実施形態に適用して、フィーチャカテゴリオブジェクトの履歴時系列データを正規化した後、全てのフィーチャカテゴリオブジェクトに対してさらにクラスタリングを行うことができる。実際には、このクラスタリングは、全てのフィーチャカテゴリオブジェクトに含まれる全てのデータオブジェクトに対して行われるクラスタリングであってよく、履歴時系列データの傾向が類似しているデータオブジェクトを集約して、１つまたは複数のクラスクラスタオブジェクトを取得できる。
【００８４】
詳細には、物理的または抽象的オブジェクトの集合から、それぞれ、類似したオブジェクトから形成される複数のクラスを形成するプロセスが、クラスタリングと呼ばれる。クラスタリングによって生成されたクラスクラスタは、オブジェクトの集合である。これらのオブジェクトは、同じクラスタ内のオブジェクトとは類似しており、他のクラスタのオブジェクトとは異なっている。特定の実施態様において、クラスタリングを行うために、多くの異なるクラスタリング方法を使用できる。例は、階層クラスタリング、分割クラスタリング、密度ベースクラスタリング、グリッドベースクラスタリング、モデルベースクラスタリング等である。本出願の実施形態は、クラスタリング方法の詳細にいかなる制限も有さない。
【００８５】
例えば、取得されたフィーチャカテゴリオブジェクトは、果物のカテゴリ、海産物のカテゴリ、調理済み食品のカテゴリ等である。これらの３つのカテゴリオブジェクトは、個別に正規化できる。正規化されたカテゴリオブジェクトに含まれる商品は、クラスタリングされ、類似の爆発的パワーを有する商品が、集約されて、１つまたは複数のクラスクラスタを取得する。例えば、毛ガニは中秋節の頃に最も美味しいので、中秋節の頃の月餅と一緒に高いレベルの売上高に達し得る。これら２つの履歴時系列データの傾向は類似しているので、毛ガニと月餅は、同じクラスクラスタに配置できる。
【００８６】
サブステップＳ３３は、クラスクラスタオブジェクトからターゲットクラスクラスタオブジェクトを予測する。
【００８７】
クラスクラスタオブジェクトを取得後、近い時期（将来の第１の所定の期間）に爆発的に売れるだろうクラスクラスタオブジェクトが、クラスクラスタオブジェクトの中から、ターゲットクラスクラスタオブジェクトに選択できる。例えば、売上好調になるクラスクラスタオブジェクトを、複数のクラスクラスタオブジェクトから、ターゲットクラスクラスタオブジェクトに選択する。
【００８８】
本出願の実施形態の好ましい実施形態においては、サブステップＳ３３は、以下のサブステップをさらに含んでよい。
【００８９】
サブステップＳ３３１は、前月のクラスクラスタオブジェクトの各データオブジェクトの履歴時系列データに基づいて、クラスクラスタオブジェクトの各平均履歴時系列データを計算する。
【００９０】
特定の実施態様において、前月（最近の一ヶ月）のクラスクラスタオブジェクトの各データオブジェクトの正規化された履歴時系列データに基づいて、クラスクラスタの下の全てのデータオブジェクトの履歴時系列データの平均値を計算する。言い換えると、時間間隔を単位として（例えば、日を単位として）使用して、時間間隔内のクラスクラスタの下の全てのデータオブジェクトの正規化された履歴フィーチャデータの合計を、時間間隔内の全てのデータオブジェクトの数によって割ることによって、この時間間隔の平均値を取得する。全ての時間間隔の平均値が、クラスクラスタの第１の平均履歴時系列データを形成する。
【００９１】
サブステップＳ３３２は、１３か月前のクラスクラスタオブジェクトの各データオブジェクトの履歴時系列データに基づいて、クラスクラスタオブジェクトの各第２の平均履歴時系列データを計算する。
【００９２】
特定の実施態様において、ここ１３か月（最近の一ヶ月の一年前）以内のクラスクラスタオブジェクトの各データオブジェクトの正規化された履歴時系列データに基づいて、クラスクラスタの下の全てのデータオブジェクトの履歴時系列データの平均値を計算する。言い換えると、時間間隔を単位として（例えば、日を単位として）使用して、時間間隔内のクラスクラスタの下の全てのデータオブジェクトの正規化された履歴フィーチャデータの合計を、時間間隔内の全てのデータオブジェクトの数で割ることによって、この時間間隔での平均値を取得する。全ての時間間隔の平均値が、クラスクラスタの第２の平均履歴時系列データを形成する。
【００９３】
サブステップＳ３３３は、１２か月前のクラスクラスタオブジェクトの各データオブジェクトの履歴時系列データに基づいて、クラスクラスタオブジェクトの各第３の平均履歴時系列データを計算する。
【００９４】
ステップＳ３３２の方法を使用して、クラスクラスタオブジェクトの各第３の平均履歴時系列データを計算する、すなわち、現在の日付から１年前の平均正規化データを計算する。
【００９５】
サブステップＳ３３４は、各第１の平均履歴時系列データ、各第２の平均履歴時系列データ、及び、各第３の平均履歴時系列データに基づいて、将来の第１の所定の期間のクラスクラスタオブジェクトの将来の各平均時系列データを予測する。
【００９６】
特定の実施態様において、第１の平均履歴時系列データを取得後、第１の平均履歴時系列データの第１の平均値をさらに計算できる（クラスクラスタの各時間間隔の平均値の合計を時間間隔の数で割る）。また、第２の平均履歴時系列データを取得後、第２の平均履歴時系列データの第２の平均値をさらに計算できる（クラスクラスタの各時間間隔の平均値の合計を時間間隔の数で割る）。
【００９７】
第１の平均値と第２の平均値との比率を計算して、比率値Ａを取得する。
【００９８】
第３の平均履歴時系列データに、個別に、比率値Ａを掛けて、将来の第１の所定の期間のフィーチャカテゴリオブジェクトの将来の平均時系列データを取得する。
【００９９】
将来の第１の所定の期間は、太陰暦の標準を用いた期間であってよいことに注意されたい。グレゴリオ暦の重要な休日（国の休日、正月等）が、第１の所定の期間のある時間間隔に出現する場合、グレゴリオ暦の休日に従って、対応する訂正を行う。言い換えると、この休日に、太陰暦の標準は、グレゴリオ暦の対応する標準に変更され、他の重要でない休日は変更しない。
【０１００】
サブステップＳ３３５は、将来の各平均時系列データと第１の各平均履歴時系列データとの各差を計算して、クラスクラスタオブジェクトの各インジケータデータを取得する。
【０１０１】
将来の第１の所定の期間の将来の平均時系列データを取得後、将来の平均時系列データの第１の合計（各時間間隔のクラスクラスタの平均値の合計）をさらに計算でき、第１の平均時系列データの第２の合計を計算できる。
【０１０２】
次に、第１の合計と第２の合計の差を計算して、クラスクラスタオブジェクトのインジケータデータを取得できる。
【０１０３】
サブステップＳ３３６は、所定の閾値より大きいインジケータデータを有するクラスクラスタオブジェクトを、ターゲットクラスクラスタオブジェクトに設定する。
【０１０４】
クラスクラスタオブジェクトのインジケータデータを取得後、より大きいインジケータデータを有するクラスクラスタオブジェクトをターゲットクラスクラスタオブジェクトに選択する。ある実施態様においては、所定の閾値より大きいインジケータデータを有するクラスクラスタオブジェクトをターゲットクラスクラスタオブジェクトに選択できる。
【０１０５】
例えば、２つのクラスクラスタのインジケータデータが、個別に、以下のように取得される（Ｍは、正規化された履歴時系列データの中央値である）。
毛ガニ＋月餅（第１のクラスクラスタ）：１．１Ｍ
たこ（第２のクラスクラスタ）：−０．０１Ｍ
【０１０６】
順に配置した後、第１のクラスクラスタ（すなわち、毛ガニと月餅）の売上高が、来る半月で爆発的に増加し、たこの売上高は安定したままであるという決定を行う。
【０１０７】
本出願の実施形態においては、クラスクラスタの短期及び中中期の爆発的売上の可能性は、クラスクラスタの爆発的なパワーのインジケータデータに基づいて決定できる。
【０１０８】
サブステップＳ３４は、ターゲットクラスクラスタに含まれるデータオブジェクト（複数可）を、ターゲットデータオブジェクト（複数可）として設定する。
【０１０９】
ターゲットクラスクラスタオブジェクトを決定後、ターゲットクラスクラスタオブジェクトに含まれるデータオブジェクト（複数可）を、ターゲットデータオブジェクト（複数可）として設定できる。
【０１１０】
本出願の実施形態は、時間的制約のある、季節的なフィーチャカテゴリオブジェクトを複数のカテゴリオブジェクトから選択でき、近い将来、爆発的に売れるターゲットデータオブジェクトを、フィーチャカテゴリオブジェクトに含まれるデータオブジェクトの中から予測できる。時系列データの原理に基づいて、本出願の実施形態は、近い将来、爆発的なパワーを有するターゲットデータオブジェクトを予測し、予測結果が、現実により良く適合し、より高い精度を有するのを可能にする。
【０１１１】
図３は、本出願の第２の実施形態による、時系列に基づいたデータ予測方法のフローチャートを示す。フローチャートは、以下のステップを含んでよい。
【０１１２】
ステップ３０１は、複数のカテゴリオブジェクトの履歴時系列データを取得する。
【０１１３】
本出願の実施形態に適用すると、カテゴリオブジェクトは、１つまたは複数のデータオブジェクトを含んでよい。
【０１１４】
本出願の実施形態の好ましい実施形態においては、ステップ３０１は、以下のサブステップを含んでよい。
【０１１５】
サブステップＳ４１は、複数の所定の時間間隔に関して、各時間間隔の所定のデータベースに記憶されたデータオブジェクトに対応する指定フィーチャデータの数を、各時間間隔のデータオブジェクトの履歴フィーチャデータとして、計算する。
【０１１６】
サブステップＳ４２は、全ての時間間隔のデータオブジェクトの履歴フィーチャデータを編成して、データオブジェクトの履歴時系列データを取得する。
【０１１７】
サブステップＳ４３は、時間間隔に従って、時間間隔の各カテゴリオブジェクトに含まれるデータオブジェクト（複数可）の履歴フィーチャデータの合計を計算する。
【０１１８】
サブステップＳ４４は、全ての時間間隔の履歴フィーチャデータの合計を、カテゴリオブジェクトの履歴時系列データとして編成する。
【０１１９】
ステップ３０２は、フィーチャカテゴリオブジェクトを複数のカテゴリオブジェクトから選択する。
【０１２０】
本出願の実施形態においては、各カテゴリオブジェクトの履歴時系列データを取得した後、フィーチャカテゴリオブジェクトが、複数のカテゴリオブジェクトからさらに選択できる。フィーチャカテゴリオブジェクトは、フィーチャデータオブジェクトを有するカテゴリオブジェクトであってよい。フィーチャデータオブジェクトは、所定の時間閾値より短いライフサイクルを有するデータオブジェクト、すなわち、時間的制約のあるデータオブジェクトであってよい。
【０１２１】
サブステップＳ５１は、複数のカテゴリオブジェクトの履歴時系列データに基づいて、複数のカテゴリオブジェクトから第１のフィーチャカテゴリオブジェクトを選択する。
【０１２２】
本出願の実施形態の好ましい実施形態においては、サブステップＳ５１は、以下のサブステップをさらに含んでよい。
【０１２３】
サブステップＳ５１１は、過去の第１の所定の期間の各カテゴリオブジェクトの履歴時系列データの中央値Ｍを計算する。
【０１２４】
サブステップＳ５１２は、履歴フィーチャデータの合計がＭの所定の倍数より大きい時間間隔の数を計算する。
【０１２５】
サブステップＳ５１３は、Ｍの所定の倍数より大きい履歴フィーチャデータの合計を有する時間間隔の数が所定の範囲内である場合、カテゴリオブジェクトは第１のフィーチャカテゴリオブジェクトであると決定する。
【０１２６】
サブステップＳ５２は、所定の第２のフィーチャカテゴリオブジェクトを取得する。
【０１２７】
サブステップＳ５３は、第１のフィーチャオブジェクトと第２のフィーチャオブジェクトをフィーチャカテゴリオブジェクトに編成する。
【０１２８】
ステップ３０３は、フィーチャカテゴリオブジェクトに対応する履歴時系列データに基づいて、フィーチャカテゴリオブジェクトに含まれるデータオブジェクトからターゲットデータオブジェクトを予測する。
【０１２９】
フィーチャカテゴリオブジェクトを決定後、ターゲットデータオブジェクトが、フィーチャカテゴリオブジェクトに含まれるデータオブジェクトから選択できる。ターゲットデータオブジェクトは、将来の第１の所定の期間に生成される将来の時系列データが所定の成長傾向を満たすデータオブジェクトであってよい。
【０１３０】
本出願の実施形態の好ましい実施形態においては、ステップ３０３は、以下のサブステップを含んでよい。
【０１３１】
サブステップＳ６１は、フィーチャカテゴリオブジェクトの履歴時系列データに基づいて、フィーチャカテゴリオブジェクトを正規化する。
【０１３２】
サブステップＳ６２は、全ての正規化されたフィーチャカテゴリオブジェクトに含まれるデータオブジェクトをクラスタリングして、クラスクラスタオブジェクトを取得する。
【０１３３】
サブステップＳ６３は、クラスクラスタオブジェクトからターゲットクラスクラスタオブジェクトを予測する。
【０１３４】
本出願の実施形態の好ましい実施形態においては、サブステップＳ６３は、以下のサブステップをさらに含んでよい。
【０１３５】
サブステップＳ６３１は、前月のクラスクラスタオブジェクトの各データオブジェクトの履歴時系列データに基づいて、クラスクラスタオブジェクトの各平均履歴時系列データを計算する。
【０１３６】
サブステップＳ６３２は、１３か月前のクラスクラスタオブジェクトの各データオブジェクトの履歴時系列データに基づいて、クラスクラスタオブジェクトの各第２の平均履歴時系列データを計算する。
【０１３７】
サブステップＳ６３３は、１２か月前クラスクラスタオブジェクトの各データオブジェクトの履歴時系列データに基づいて、クラスクラスタオブジェクトの各第３の平均履歴時系列データを計算する。
【０１３８】
サブステップＳ６３４は、第１の各平均履歴時系列データ、第２の各平均履歴時系列データ、及び、第３の各平均履歴時系列データに基づいて、将来の第１の所定の期間のクラスクラスタオブジェクトの将来の各平均時系列データを予測する。
【０１３９】
サブステップＳ６３５は、将来の各平均時系列データと第１の各平均履歴時系列データとの各差を計算して、クラスクラスタオブジェクトの各インジケータデータを取得する。
【０１４０】
サブステップＳ６３６は、所定の閾値より大きいインジケータデータを有するクラスクラスタオブジェクトを、ターゲットクラスクラスタオブジェクトに設定する。
【０１４１】
サブステップＳ６４は、ターゲットクラスクラスタに含まれるデータオブジェクト（複数可）を、ターゲットデータオブジェクト（複数可）として設定する。
【０１４２】
ステップ３０４は、将来の第１の所定の期間のターゲットデータオブジェクトの将来の時系列データを予測する。
【０１４３】
本出願の実施形態の好ましい実施形態においては、ステップ３０４は、以下のサブステップを含んでよい。
【０１４４】
サブステップＳ７１は、将来の第１の所定の期間のクラスクラスタオブジェクトの各将来の平均時系列データを非正規化して、クラスクラスタオブジェクトの各データオブジェクトの標準平均時系列データを取得する。
【０１４５】
サブステップＳ６３４で予測されたクラスクラスタオブジェクトの将来の各平均時系列データは、正規化された値なので、これらの正規化された値に対して、非正規化を最初に行うことができる、すなわち、各将来の平均時系列データに各中央値Ｍを掛けて、クラスクラスタオブジェクトの各データオブジェクトの標準平均時系列データを取得する。
【０１４６】
サブステップＳ７２は、クラスクラスタオブジェクトの各データオブジェクトの標準平均時系列データを訂正して、将来の第１の所定の期間の各データオブジェクトの対応する将来の時系列データを取得する。
【０１４７】
各データオブジェクトの標準平均時系列データを取得した後、標準平均時系列データに訂正を行って、将来の第１の所定の期間の各データオブジェクトの将来の時系列データを取得できる。ある実施態様においては、訂正は、所定の基準パラメータ（複数可）に従って行われる拡大または縮小というオフセット訂正を含んでよい。
【０１４８】
所定の基準パラメータ（複数可）は、他のデータベースのオフセットパラメータであってよい。例えば、電子商取引プラットフォームにおいては、プラットフォームの商店の数の変化が原因の影響に対応するために、所定の基準パラメータ（複数可）は、商店データベースのデータであってよい。商店データベースは、プラットフォームの様々な商店と、基本的特性、取引特性、及び、信頼性特性等の商店の特性を含む、商店の主な特徴とを記録する。現在の期間の商店の数と、昨年同時期の商店の数との比較を用いて、標準平均時系列データの拡大（または、縮小）等の訂正を行って、商品カテゴリの将来の時系列データを取得できる。
【０１４９】
例えば、今年と去年の同時期を比較すると、商店データベースに記憶された商店の数が、１００から１０００に増加している。商店の数は、１０倍に増加しており、売上高が２０倍に増加している。よって、標準平均時系列データを２倍して、将来の時系列データを取得してよい。
【０１５０】
本出願の実施形態の好ましい実施形態として、本出願の実施形態が、電子商取引プラットフォームに適用される場合、データオブジェクトは、商品データであってよく、カテゴリオブジェクトは、商品カテゴリであってよく、フィーチャカテゴリオブジェクトは、時間的制約商品カテゴリであってよく、ライフサイクルは、商品の消費期限であってよく、時系列データは、商品の一日当たりの売上高であってよい。
【０１５１】
本出願の実施形態は、時間的制約のある季節的なフィーチャカテゴリオブジェクトを、複数のカテゴリオブジェクトから選択でき、近い将来、爆発的に売れるターゲットデータオブジェクトを、フィーチャカテゴリオブジェクトに含まれるデータオブジェクトの中から予測でき、近い将来のターゲットデータオブジェクトの将来の時系列データを予測できる。時系列データの原理に基づいて、本出願の実施形態は、爆発的パワーを有するターゲットデータオブジェクトと、ターゲットデータオブジェクトの将来の時系列データを予測し、予測結果が、現実により良く適合し、より高い精度を有するのを可能にする。
【０１５２】
図３の方法の実施形態は、図３の方法の実施形態と基本的に類似しているので、相対的に簡単に記載する。関連部分に関しては、方法の実施形態の部分の記載を参照できる。
【０１５３】
方法の実施形態は、記載の目的で、アクションの一連の組み合わせとして表されることに注意されたい。しかしながら、あるステップは、本出願の実施形態に従って、他の順番で、または、並行して行うことができるので、本出願の実施形態は、記載のアクションの順番に制限されないことを当業者は理解されよう。さらに、明細書に記載された実施形態は好ましい実施形態であることも、当業者は理解されたい。実施形態に伴うアクションは、本出願の実施形態に必ずしも必須でないこともある。
【０１５４】
図４は、本出願の実施形態による、時系列に基づいたデータ予測装置の構造ブロック図を示し、以下のモジュールを含んでよい。
【０１５５】
履歴時系列データ獲得モジュール４０１は、複数のカテゴリオブジェクトの履歴時系列データを取得するために使用され、カテゴリオブジェクトは、１つまたは複数のデータオブジェクトを含む。
【０１５６】
フィーチャカテゴリオブジェクト選択モジュール４０２は、複数のカテゴリオブジェクトからフィーチャカテゴリオブジェクト（複数可）を選択するために使用され、フィーチャカテゴリオブジェクト（複数可）は、各フィーチャデータオブジェクトを含むカテゴリオブジェクト（複数可）であり、各フィーチャデータオブジェクトは、所定の時間閾値より短いライフサイクルを有するデータオブジェクトである。
【０１５７】
ターゲットデータオブジェクト予測モジュール４０３は、フィーチャカテゴリオブジェクト（複数可）に含まれるデータオブジェクト（複数可）の中から、フィーチャカテゴリオブジェクト（複数可）に対応する履歴時系列データに基づいて、ターゲットデータオブジェクトを予測するために使用される。ターゲットデータオブジェクトは、将来の第１の所定の期間に生成され、所定の成長傾向を満たす将来の時系列データを有するデータオブジェクトである。
【０１５８】
本出願の実施形態の好ましい実施形態においては、装置は、将来の第１の所定の期間におけるターゲットデータオブジェクトの将来の時系列データを予測するために使用される将来の時系列データ予測モジュールをさらに含んでよい。
【０１５９】
本出願の実施形態の好ましい実施形態においては、履歴時系列データ獲得モジュール４０１は、複数の所定の時間間隔に関して、各時間間隔の所定のデータベースに記憶されるデータオブジェクトに対応する指定フィーチャデータの量を、各時間間隔のデータオブジェクトの履歴フィーチャデータとして、計算するために使用される履歴フィーチャデータ計算サブモジュールと、全ての時間間隔のデータオブジェクトの履歴フィーチャデータを編成して、データオブジェクトの履歴時系列データを取得するために使用される履歴フィーチャデータ編成サブモジュールと、各時間間隔に従って、各時間間隔の各カテゴリオブジェクトに含まれるデータオブジェクトの履歴フィーチャデータの合計を計算するために使用される履歴フィーチャデータ統計サブモジュールと、全ての時間間隔の履歴フィーチャデータの各合計を、各カテゴリオブジェクトの履歴時系列データとして編成するために使用される履歴時系列データ編成サブモジュールとを含む。
【０１６０】
本出願の実施形態の好ましい実施形態においては、フィーチャカテゴリオブジェクト選択モジュール４０２は、複数のカテゴリオブジェクトの履歴時系列データに基づいて、複数のカテゴリオブジェクトから第１のフィーチャカテゴリオブジェクトを選択するために使用される第１のフィーチャカテゴリオブジェクト選択サブモジュールと、所定の第２のフィーチャカテゴリオブジェクトを取得するために使用される第２のフィーチャカテゴリオブジェクト獲得サブモジュールと、第１のフィーチャカテゴリオブジェクトと第２のフィーチャカテゴリオブジェクトを、フィーチャカテゴリオブジェクトとして編成するために使用される編成サブモジュールとを含む。
【０１６１】
本出願の実施形態の好ましい実施形態においては、第１のフィーチャカテゴリオブジェクト選択サブモジュールは、以前の第１の所定の期間の各カテゴリオブジェクトの履歴時系列データの中央値Ｍを計算することと、履歴フィーチャデータの合計がＭの所定の倍数より大きい時間間隔の数を計算することと、履歴フィーチャデータの合計がＭの所定の倍数より大きい時間間隔の数が所定の範囲内にある場合、カテゴリオブジェクトは第１のフィーチャカテゴリオブジェクトであると決定することのために、さらに使用される。
【０１６２】
本出願の実施形態の好ましい実施形態においては、ターゲットデータオブジェクト予測モジュール４０３は、フィーチャカテゴリオブジェクト（複数可）に対応する履歴時系列データに基づいて、フィーチャカテゴリオブジェクト（複数可）を正規化するために使用される正規化サブモジュールと、正規化されたフィーチャカテゴリオブジェクト（複数可）に含まれるデータオブジェクト（複数可）をクラスタリングして、クラスクラスタオブジェクト（複数可）を取得するために使用されるクラスタリングサブモジュールと、クラスクラスタオブジェクト（複数可）からターゲットクラスクラスタオブジェクトを予測するために使用される予測サブモジュールと、ターゲットクラスクラスタオブジェクトに含まれるデータオブジェクトを、ターゲットデータオブジェクトとして設定するために使用されるターゲットデータオブジェクト獲得サブモジュールとを含む。
【０１６３】
本出願の実施形態の好ましい実施形態においては、予測サブモジュールは、前月のクラスクラスタオブジェクト（複数可）のデータオブジェクトの履歴時系列データに基づいて、クラスクラスタオブジェクト（複数可）の第１の平均履歴時系列データを計算することと、１３か月前のクラスクラスタオブジェクト（複数可）のデータオブジェクトの履歴時系列データに基づいて、クラスクラスタオブジェクト（複数可）の第２の平均履歴時系列データを計算することと、１２か月前のクラスクラスタオブジェクト（複数可）のデータオブジェクトの履歴時系列データに基づいて、クラスクラスタオブジェクト（複数可）の第３の平均履歴時系列データを計算することと、第１の平均履歴時系列データ、第２の平均履歴時系列データ、及び、第３の平均履歴時系列データに基づいて、将来の第１の所定の期間のクラスクラスタオブジェクト（複数可）の将来の平均時系列データを予測することと、将来の平均時系列データと第１の平均履歴時系列データとの差を計算して、クラスクラスタオブジェクト（複数可）のインジケータデータを取得することと、所定の閾値より大きいインジケータデータを有するクラスクラスタオブジェクトを、ターゲットクラスクラスタオブジェクトとして設定することのためにさらに使用される。
【０１６４】
本出願の実施形態の好ましい実施形態においては、将来の時系列データ予測モジュールは、将来の第１の所定の期間のクラスクラスタオブジェクト（複数可）の将来の平均時系列データを正規化して、クラスクラスタオブジェクト（複数可）の各データオブジェクトの標準平均時系列データを取得するために使用される標準データ獲得サブモジュールと、各データオブジェクトの標準平均時系列データを訂正して、将来の第１の所定の期間の各データオブジェクトの将来の時系列データを取得するために使用される訂正サブモジュールとを含む。
【０１６５】
本出願の実施形態の好ましい実施形態においては、データオブジェクトは、商品データであり、カテゴリオブジェクトは、商品カテゴリであり、フィーチャカテゴリオブジェクト（複数可）は、時間的制約商品カテゴリ（複数可）であり、ライフサイクルは、商品の期限であり、時系列データは、商品の一日当たりの売上高である。
【０１６６】
装置の実施形態は、基本的に、方法の実施形態と類似しているので、記載は相対的に簡単にする。関連部分に関しては、方法の実施形態の部分を参照できる。
【０１６７】
実施形態を明細書に漸進的に記載した。各実施形態の記載は、他の実施形態と異なる焦点を有する。実施形態間の同一または類似の部分は、互いに参照できる。
【０１６８】
本出願の実施形態は、方法、装置、または、コンピュータプログラム製品として提供できることを、当業者は理解されよう。よって、本出願の実施形態は、完全にハードウェアの実施形態、完全にソフトウェアの実施形態、または、ソフトウェアとハードウェアの組み合わせの実施形態の形態で採用できる。さらに、本出願の実施形態は、コンピュータ使用可能プログラムコードを含む１つまたは複数のコンピュータ使用可能記憶媒体（磁気記憶装置、ＣＤ−ＲＯＭ、光学記憶装置等を含むが、これらに限らない）によって実施されるコンピュータプログラム製品の形態で採用できる。
【０１６９】
典型的な構成においては、コンピュータ装置は、１つまたは複数のプロセッサ（ＣＰＵ）、入力／出力インタフェース、ネットワークインタフェース、及び、メモリを含む。メモリは、揮発性メモリ、ランダムアクセスメモリ（ＲＡＭ）、及び／または、不揮発性メモリ、例えば、リードオンリメモリ（ＲＯＭ）もしくはフラッシュＲＡＭ等、コンピュータ可読媒体の形態を含んでよい。メモリは、コンピュータ可読媒体の例である。コンピュータ可読媒体は、揮発性または不揮発性タイプの、取り外し可能または取り外し不能媒体を含んでよく、これらは、任意の方法または技術を使用して情報を記憶してよい。情報は、コンピュータ可読命令、データ構造、プログラムモジュール、または、他のデータを含んでよい。コンピュータ記憶媒体の例は、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、リードオンリメモリ（ＲＯＭ）、電気消去可能プログラマブルリードオンリメモリ（ＥＥＰＲＯＭ）、クイックフラッシュメモリ、もしくは、他の内部記憶技術、コンパクトディスクリードオンリメモリ（ＣＤ−ＲＯＭ）、デジタル多用途ディスク（ＤＶＤ）、もしくは、他の光学ストレージ、磁気カセットテープ、磁気ディスクストレージ、もしくは、他の磁気記憶装置、または、任意の他の非伝送媒体を含むが、これらに限らず、これらを使用して、コンピュータ装置によってアクセス可能な情報を記憶してよい。本明細書の定義では、コンピュータ可読媒体は、変調データ信号や搬送波等の一時的媒体を含まない。
【０１７０】
本開示の態様を、本開示の実施形態による、方法、端末装置（システム）、及び、コンピュータプログラム製品のフローチャート及び／またはブロック図を参照して記載した。コンピュータプログラム命令を使用して、フローチャート及び／またはブロック図の各プロセス及び／またはブロックと、フローチャート及び／またはブロック図のプロセス（複数可）及び／またはブロック（複数可）の組み合わせを実施してよいことは理解されよう。これらのコンピュータプログラム命令は、汎用コンピュータ、専用コンピュータ、埋め込みプロセッサ、または、他のプログラム可能データ処理端末装置のプロセッサに提供されて、機械を生成してよく、それによって、コンピュータまたは他のプログラム可能データ処理端末装置のプロセッサによって実行された命令が、フローチャートの１つまたは複数のプロセス、及び／またはブロック図の１つまたは複数のブロックで指定された機能（複数可）を実施する装置を生成する。
【０１７１】
これらのコンピュータプログラム命令は、コンピュータ可読記憶装置に記憶されてもよく、コンピュータまたは他のプログラム可能データ処理端末装置に、特定の方法で動作を実行するように命令でき、それによって、コンピュータ可読記憶装置に記憶された命令は、命令装置を含む製品を生成する。命令装置は、フローチャートの１つまたは複数のプロセス、及び／または、ブロック図の１つまたは複数のブロックに指定された機能（複数可）を実施する。
【０１７２】
これらのコンピュータプログラム命令は、コンピュータまたは他のプログラム可能データ処理端末装置にロードされてもよく、そうすることによって、一連の動作が、コンピュータまたは他のプログラム可能端末装置で行われて、コンピュータ実施処理が生成される。よって、コンピュータまたは他のプログラム可能端末装置で実行される命令は、フローチャートの１つまたは複数のプロセス、及び／または、ブロック図の１つまたは複数のブロックで指定された機能（複数可）を実施する手順を提供する。
【０１７３】
本出願の実施形態における所定の実施形態を記載したが、当業者は、基本的な発明の概念が分かると、これらの実施形態に他の変更や修正を行い得る。よって、添付請求項は、好ましい実施形態と、本出願の実施形態の範囲に該当する全ての変更及び修正を含むと解釈されることを意図している。
【０１７４】
最後に、「第１の」「第２の」等の関連を表す語は、１つの実体または動作を他の実体または動作と区別するためにのみ使用されており、実際には、これらの実体または動作間のこれらの関係または順序のいずれも必ずしも必要とせず、示唆していないことにさらに注意されたい。さらに、「ｉｎｃｌｕｄｅ（含む）、「ｃｏｎｔａｉｎ（含む）」、または、これらの他の変形等の用語は、排他的でなく含むことを意図しており、よって、一連の要素を含むプロセス、方法、品物、または、端末装置は、その要素を含むだけでなく、明示的に列挙していない他の要素を含み、または、プロセス、方法、品物、または、端末装置に本来備わる要素もさらに含む。さらなる制限が無い場合、「ｉｎｃｌｕｄｅ  ａ／ａｎ・・・（を含む）」という句で定義される要素は、その要素を含むプロセス、方法、品物、または、端末装置に他の同じ要素が存在することを除外しない。
【０１７５】
本出願で提供される時系列に基づいたデータ予測方法と時系列に基づいたデータ予測装置を詳細に記載した。本出願の原理及び実施態様を説明するために、本明細書では、特定の例を使用しており、上記実施形態の記載は、本出願の方法と、その中心となる着想を理解するのを支援するためにのみ使用している。さらに、当業者は、特定の実施態様と適用の範囲を本出願の着想に基づいて、変更してよい。要するに、明細書の内容は、本出願を制限するものと解釈すべきではない。
【図１】
2019502213.tif 000003
【図２】
2019502213.tif 000004
【図３】
2019502213.tif 000005
【図４】
2019502213.tif 000006
【手続補正書】
【提出日】平成30年9月14日(2018.9.14)
【手続補正１】
【補正対象書類名】明細書
【補正対象項目名】００９０
【補正方法】変更
【補正の内容】
【００９０】
特定の実施態様において、前月（最近の一ヶ月）のクラスクラスタオブジェクトの各データオブジェクトの正規化された履歴時系列データに基づいて、クラスクラスタオブジェクトの下の全てのデータオブジェクトの履歴時系列データの平均値を計算する。言い換えると、時間間隔を単位として（例えば、日を単位として）使用して、時間間隔内のクラスクラスタオブジェクトの下の全てのデータオブジェクトの正規化された履歴フィーチャデータの合計を、時間間隔内の全てのデータオブジェクトの数によって割ることによって、この時間間隔の平均値を取得する。全ての時間間隔の平均値が、クラスクラスタオブジェクトの第１の平均履歴時系列データを形成する。
【手続補正２】
【補正対象書類名】明細書
【補正対象項目名】００９２
【補正方法】変更
【補正の内容】
【００９２】
特定の実施態様において、ここ１３か月（最近の一ヶ月の一年前）以内のクラスクラスタオブジェクトの各データオブジェクトの正規化された履歴時系列データに基づいて、クラスクラスタオブジェクトの下の全てのデータオブジェクトの履歴時系列データの平均値を計算する。言い換えると、時間間隔を単位として（例えば、日を単位として）使用して、時間間隔内のクラスクラスタオブジェクトの下の全てのデータオブジェクトの正規化された履歴フィーチャデータの合計を、時間間隔内の全てのデータオブジェクトの数で割ることによって、この時間間隔での平均値を取得する。全ての時間間隔の平均値が、クラスクラスタオブジェクトの第２の平均履歴時系列データを形成する。
【手続補正３】
【補正対象書類名】明細書
【補正対象項目名】０１０７
【補正方法】変更
【補正の内容】
【０１０７】
本出願の実施形態においては、クラスクラスタオブジェクトの短期及び中中期の爆発的売上の可能性は、クラスクラスタオブジェクトの爆発的なパワーのインジケータデータに基づいて決定できる。
【手続補正４】
【補正対象書類名】明細書
【補正対象項目名】０１０８
【補正方法】変更
【補正の内容】
【０１０８】
サブステップＳ３４は、ターゲットクラスクラスタオブジェクトに含まれるデータオブジェクト（複数可）を、ターゲットデータオブジェクト（複数可）として設定する。
【手続補正５】
【補正対象書類名】明細書
【補正対象項目名】０１４１
【補正方法】変更
【補正の内容】
【０１４１】
サブステップＳ６４は、ターゲットクラスクラスタオブジェクトに含まれるデータオブジェクト（複数可）を、ターゲットデータオブジェクト（複数可）として設定する。
【国際調査報告】
2019502213.tif 000007
2019502213.tif 000008
2019502213.tif 000009
2019502213.tif 000010